(57)【要約】【課題】複数の歯車を収容する第１ケース部材および第２ケース部材の底壁の強度を高めることのできるギヤードモータ、および接点式タイマースイッチを提供すること。【解決手段】ギヤードモータ１ａ、および接点式タイマースイッチ１は、第１ケース部材１０の第１底壁１１と第２ケース部材２０の第２底壁２１との間に、複数の歯車５１、５２、５３、５４を備えた伝達機構５０と、回転部材６０とを有している。第１底壁１１の内面１１ａ、および第２底壁２１の内面２１ａは、伝達機構５０および回転部材６０のレイアウトに沿って凹部が形成され。第１底壁１１の外面１１ｂ、および第２底壁２１の外面２１ｂでは、凹部と重なる領域が凸部になっている。従って、第１底壁１１および第２底壁２１の強度を高めることができるとともに、第１底壁１１と第２底壁２１との間の容積を狭めることができる。【選択図】図５
2020188651.tif 000002
【特許請求の範囲】
【請求項１】
モータと、
第１ケース部材と、
前記第１ケース部材の底壁である第１底壁に対向する第２底壁を備えた第２ケース部材と、
前記第１底壁と前記第２底壁との間に配置された複数の歯車を含む伝達機構と、
を有し、
前記第１底壁および前記第２底壁のうちの一方の底壁の他方の底壁側に向いた内面には、前記複数の歯車のうち、前記一方の底壁と対向する第１歯車に対して前記第１歯車の径方向外側で対向する円弧状の内周壁を備えた第１凹部が形成され、
前記一方の底壁の前記他方の底壁とは反対側に向いた外面で前記第１凹部と重なる領域は、前記第１凹部の径方向外側で前記第１凹部に沿って円弧状に延在する側壁が前記他方の底壁とは反対側に突出した第１凸部になっていることを特徴とするギヤードモータ。
【請求項２】
請求項１に記載のギヤードモータにおいて、
前記他方の底壁の前記一方の底壁側に向いた内面には、前記複数の歯車のうち、前記他方の底壁と対向する第２歯車に対して前記第２歯車の径方向外側で対向する円弧状の内周壁を備えた第２凹部が形成され、
前記他方の底壁の前記一方の底壁とは反対側に向いた外面で前記第２凹部と重なる領域は、前記第２凹部の径方向外側で前記第２凹部に沿って円弧状に延在する側壁が前記一方の底壁とは反対側に突出した第２凸部になっていることを特徴とするギヤードモータ。
【請求項３】
請求項１または２に記載のギヤードモータにおいて、
前記伝達機構は、前記第１歯車を複数、含み、
前記他方の底壁の内面には、前記複数の第１歯車の各々に対応する複数の前記第１凹部が形成され、
前記複数の第１凹部は繋がっていることを特徴とするギヤードモータ。
【請求項４】
請求項１から３までの何れか一項に記載のギヤードモータにおいて、
前記一方の底壁は、前記第２底壁であり、
前記他方の底壁は、前記第１底壁であることを特徴とするギヤードモータ。
【請求項５】
請求項１から４までの何れか一項に記載のギヤードモータにおいて、
前記モータは、前記第１底壁と、前記第１底壁に対して前記第２底壁と反対側から重なるカバーとの間に配置され、
前記カバーは、前記第１底壁に前記第２底壁とは反対側から重なるフランジ部と、前記フランジ部から前記モータの胴部に沿って前記第１底壁とは反対側に突出し、前記胴部が内側に配置された筒部と、前記筒部の前記第１底壁とは反対側の端部を塞ぎ、前記胴部に前記第１底壁とは反対側から重なる底板部と、を備えていることを特徴とするギヤードモータ。
【請求項６】
請求項１から５までの何れか一項に記載のギヤードモータにおいて、
前記第１ケース部材、および前記第２ケース部材は、ポリカーボネートと、アクリロニトリル−ブタジエン−スチレンの共重合合成樹脂とのポリマーアロイからなることを特徴とするギヤードモータ。
【請求項７】
請求項１から６までの何れか一項に記載のギヤードモータを備えた接点式タイマースイッチであって、
前記第１底壁と前記第２底壁との間に配置された複数の接点と、
前記モータの回転が前記伝達機構を介して伝達され、前記複数の接点のうちの少なくとも一つの接点を移動させて他の接点と接触させる回転部材と、
を有し、
前記一方の底壁の内面には、前記回転部材の前記一方の底壁側に向いた第１部分に対して前記第１部分の径方向外側で対向する円弧状の内周壁を備えた第３凹部が形成され、
前記一方の底壁の外面で前記第３凹部と重なる領域は、前記第３凹部の径方向外側で前記第３凹部に沿って円弧状に延在する側壁が前記他方の底壁とは反対側に突出した第３凸部になっていることを特徴とする接点式タイマースイッチ。
【請求項８】
請求項７に記載の接点式タイマースイッチであって、
前記他方の底壁の内面には、前記回転部材の前記他方の底壁側に向いた第２部分に対して前記第２部分の径方向外側で対向する円弧状の内周壁を備えた第４凹部が形成され、
前記他方の底壁の前記一方の底壁とは反対側に向いた外面で前記第４凹部と重なる領域は、前記第４凹部の径方向外側で前記第４凹部に沿って円弧状に延在する側壁が前記一方の底壁とは反対側に突出した第４凸部になっていることを特徴とする接点式タイマースイッチ。
【発明の詳細な説明】
【技術分野】
【０００１】
本発明は、第１ケース部材と第２ケース部材との間に複数の歯車が配置されたギヤードモータ、および接点式タイマースイッチに関するものである。
【背景技術】
【０００２】
接点式タイマースイッチとして、第１ケース部材の底壁である第１対向部と、第２ケース部材において第１対向部と対向する第２対向部との間に、複数の歯車を備えた接点移動機構、および接点が配置された構造が特許文献１に記載されている。同文献では、接点式タイマースイッチを爆発性雰囲気中で用いた場合の爆発を防止するために、第１対向部および第２対向部の一方において、接点移動機構および接点と平面視で重ならない領域に底上げ部を設け、第１対向部と第２対向部との間の内容積を狭めることが提案されている。
【先行技術文献】
【特許文献】
【０００３】
【特許文献１】特開平２０１８−４５８４９号公報
【発明の概要】
【発明が解決しようとする課題】
【０００４】
ギヤードモータにおいて、第１ケース部材の第１対向部および第２ケース部材の第２対向部には強度の向上が望まれているが、特許文献１に記載の接点式タイマースイッチ（ギヤードモータ）では、底上げ部が設けられている領域を除けば、略一定厚の板状であるため、十分な強度を得ることができないという問題点がある。
【０００５】
以上の問題点に鑑みて、本発明は、複数の歯車を収容する第１ケース部材および第２ケース部材の底壁の強度を高めることのできるギヤードモータ、および接点式タイマースイッチを提供することにある。
【課題を解決するための手段】
【０００６】
上記課題を解決するために、本発明のギヤードモータは、モータと、第１ケース部材と、前記第１ケース部材の底壁である第１底壁に対向する第２底壁を備えた第２ケース部材と、前記第１底壁と前記第２底壁との間に配置された複数の歯車を含む伝達機構と、を有し、前記第１底壁および前記第２底壁のうちの一方の底壁の他方の底壁側に向いた内面には、前記複数の歯車のうち、前記一方の底壁と対向する第１歯車に対して前記第１歯車の径方向外側で対向する円弧状の内周壁を備えた第１凹部が形成され、前記一方の底壁の前記他方の底壁とは反対側に向いた外面で前記第１凹部と重なる領域は、前記第１凹部の径方向外側で前記第１凹部に沿って円弧状に延在する側壁が前記他方の底壁とは反対側に突出した第１凸部になっていることを特徴とする。
【０００７】
本発明では、第１ケース部材の第１底壁、および第２ケース部材の第２底壁のうち、一方の底壁は、第１歯車に沿う形状になっている。このため、一方の底壁の強度を高めることができる。また、一方の底壁が第１歯車に沿う形状になっているため、第１ケース部材と第２ケース部材との間の内容積を小さくすることができる。従って、本発明に係るギヤードモータを用いて接点式タイマースイッチを構成する際に、第１ケース部材と第２ケース部材との間に接点を設けても、第１ケース部材と第２ケース部材との間の内容積が小さいので、防爆性を実現することができる。
【０００８】
本発明において、前記他方の底壁の前記一方の底壁側に向いた内面には、前記複数の歯
車のうち、前記他方の底壁と対向する第２歯車に対して前記第２歯車の径方向外側で対向する円弧状の内周壁を備えた第２凹部が形成され、前記他方の底壁の前記一方の底壁とは反対側に向いた外面で前記第２凹部と重なる領域は、前記第２凹部の径方向外側で前記第２凹部に沿って円弧状に延在する側壁が前記一方の底壁とは反対側に突出した第２凸部になっている態様を採用することができる。かかる態様によれば、第１ケース部材の第１底壁、および第２ケース部材の第２底壁のうち、他方の底壁は、第２歯車に沿う形状になっている。このため、他方の底壁の強度を高めることができる。
【０００９】
本発明において、前記伝達機構は、前記第１歯車を複数、含み、前記他方の底壁の内面には、前記複数の第１歯車の各々に対応する複数の前記第１凹部が形成され、前記複数の第１凹部は繋がっている態様を採用することができる。
【００１０】
本発明において、前記一方の底壁は、前記第２底壁であり、前記他方の底壁は、前記第１底壁である態様を採用することができる。
【００１１】
本発明において、前記モータは、前記第１底壁と、前記第１底壁に対して前記第２底壁と反対側から重なるカバーとの間に配置され、前記カバーは、前記第１底壁に前記第２底壁とは反対側から重なるフランジ部と、前記フランジ部から前記モータの胴部に沿って前記第１底壁とは反対側に突出し、前記胴部が内側に配置された筒部と、前記筒部の前記第１底壁とは反対側の端部を塞ぎ、前記胴部に前記第１底壁とは反対側から重なる底板部と、を備えている態様を採用することができる。
【００１２】
本発明において、前記第１ケース部材、前記第２ケース部材、および前記カバーは、ポリカーボネート（ＰＣ）と、アクリロニトリル−ブタジエン−スチレンの共重合合成樹脂（ＡＢＳ）とのポリマーアロイからなる態様を採用することができる。かかる態様によれば、ＡＢＳ樹脂有する高成形加工性と、ＰＣが有する機械的特性、衝撃耐性、耐熱性を兼ね備えたケースを実現することができる。
【００１３】
本発明に係るギヤードモータは接点式タイマースイッチに用いることができ、接点式タイマースイッチは、前記第１底壁と前記第２底壁との間に配置された複数の接点と、前記モータの回転が前記伝達機構を介して伝達され、前記複数の接点のうちの少なくとも一つの接点を移動させて他の接点と接触させる回転部材と、を有し、前記一方の底壁の内面には、前記回転部材の前記一方の底壁側に向いた第１部分に対して前記第１部分の径方向外側で対向する円弧状の内周壁を備えた第３凹部が形成され、前記一方の底壁の外面で前記第３凹部と重なる領域は、前記第３凹部の径方向外側で前記第３凹部に沿って円弧状に延在する側壁が前記他方の底壁とは反対側に突出した第３凸部になっている態様を採用することができる。
【００１４】
本発明に係る接点式タイマースイッチは、前記他方の底壁の内面には、前記回転部材の前記他方の底壁側に向いた第２部分に対して前記第２部分の径方向外側で対向する円弧状の内周壁を備えた第４凹部が形成され、前記他方の底壁の前記一方の底壁とは反対側に向いた外面で前記第４凹部と重なる領域は、前記第４凹部の径方向外側で前記第４凹部に沿って円弧状に延在する側壁が前記一方の底壁とは反対側に突出した第４凸部になっている態様を採用することができる。
【発明の効果】
【００１５】
本発明では、第１ケース部材の第１底壁、および第２ケース部材の第２底壁のうち、一方の底壁は、第１歯車に沿う形状になっている。このため、一方の底壁の強度を高めることができる。また、一方の底壁が第１歯車に沿う形状になっているため、第１ケース部材と第２ケース部材との間の内容積を小さくすることができる。従って、本発明に係るギヤ
ードモータを用いて接点式タイマースイッチを構成する際に、第１ケース部材と第２ケース部材との間に接点を設けても、第１ケース部材と第２ケース部材との間の内容積が小さいので、防爆性を実現することができる。
【図面の簡単な説明】
【００１６】
【図１】本発明を適用した接点式タイマースイッチをカバーの側からみた斜視図。
【図２】図１に示す接点式タイマースイッチを第２ケース部材の側からみた斜視図。
【図３】図１に示す接点式タイマースイッチにおいてカバーおよびモータを外した様子をカバーの側からみた分解斜視図。
【図４】図１に示す接点式タイマースイッチにおいて第１ケース部材と第２ケース部材とを分離した様子を第１ケース部材の側からみた分解斜視図。
【図５】図１に示す接点式タイマースイッチにおいて第１ケース部材と第２ケース部材とを分離した様子を第２ケース部材の側からみた分解斜視図。
【図６】図１に示す第１ケース部材の第１底壁を内面側からみた斜視図。
【図７】図６に示す第１ケース部材に歯車等を配置した様子を示す斜視図。
【図８】図１に示す第２ケース部材の第２底壁を内面側からみた斜視図。
【図９】図８に示す第２ケース部材に歯車等を配置した様子を示す斜視図。
【発明を実施するための形態】
【００１７】
以下に、図面を参照して、本発明の実施形態に係るギヤードモータ１ａ、および接点式タイマースイッチ１を説明する。なお、以下において、互いに直交する３方向をそれぞれＸ軸方向、Ｙ軸方向およびＺ軸方向として説明する。また、以下の説明では、第１底壁１１および第２底壁２１のうち、本発明における「一方の底壁」が第２底壁２１に相当し、本発明における「他方の底壁」が第１底壁１１に相当する場合を中心に説明する。
【００１８】
（接点式タイマースイッチの全体構造）
図１は、本発明を適用した接点式タイマースイッチ１をカバー３０の側からみた斜視図である。図２は、図１に示す接点式タイマースイッチ１を第２ケース部材２０の側からみた斜視図である。図３は、図１に示す接点式タイマースイッチ１においてカバー３０およびモータ４０を外した様子をカバー３０の側からみた分解斜視図である。図４は、図１に示す接点式タイマースイッチ１において第１ケース部材１０と第２ケース部材２０とを分離した様子を第１ケース部材１０の側からみた分解斜視図である。図５は、図１に示す接点式タイマースイッチ１において第１ケース部材１０と第２ケース部材２０とを分離した様子を第２ケース部材２０の側からみた分解斜視図である。
【００１９】
図１および図２に示す接点式タイマースイッチ１は、冷蔵庫の内部に設置されて、予め設定された期間中にコンプレッサとヒータとを所定時間ずつ選択的に動作させる冷蔵庫用霜取りタイマーであり、冷蔵庫の内部に設置された際、接点式タイマースイッチ１は、冷媒（爆発性雰囲気）に晒される。
【００２０】
図３、図４、および図５に示すように、接点式タイマースイッチ１は、ギヤードモータ１ａを備えており、ギヤードモータ１ａは、第１ケース部材１０と、第１ケース部材１０の底壁である第１底壁１１に対向する第２底壁２１を備えた第２ケース部材２０と、第１底壁１１に対して第２底壁２１と反対側から重なるカバー３０とを有している。ギヤードモータ１ａは、第１底壁１１とカバー３０との間に配置されたモータ４０と、第１底壁１１と第２底壁２１との間に配置された複数の歯車を含む伝達機構５０とを有している。ギヤードモータ１ａを用いて接点式タイマースイッチ１を構成するにあたって、接点式タイマースイッチ１には、伝達機構５０を介してモータ４０の回転が伝達される回転部材６０が設けられ、接点式タイマースイッチ１では、回転部材６０の回転に連動して接点が駆動される。
【００２１】
第１ケース部材１０、第２ケース部材２０、およびカバー３０は、樹脂製である。本形態において、第１ケース部材１０、第２ケース部材２０、およびカバー３０は、ポリカーボネート（ＰＣ）と、アクリロニトリル−ブタジエン−スチレンの共重合合成樹脂（ＡＢＳ）とのポリマーアロイからなる。従って、第１ケース部材１０、第２ケース部材２０、およびカバー３０は、ＡＢＳ樹脂有する高成形加工性と、ＰＣが有する機械的特性、衝撃耐性、耐熱性を兼ね備えている。
【００２２】
第１ケース部材１０は、第１底壁１１と、第１底壁１１の外縁からＺ軸方向に屈曲した第１側壁１２とを有している。第１底壁１１の平面形状は、全体として長方形である。第１ケース部材１０において、第１側壁１２には、接点式タイマースイッチ１を冷蔵庫に固定する際の位置決め等を行う柱状部１０１、１０２が設けられている。また、第１ケース部材１０には、第１ケース部材１０、第２ケース部材２０、およびカバー３０を連結するためのねじ９１、９２を通す穴１０６、１０７が形成されている。また、第１ケース部材１０では、第１ケース部材１０および第２ケース部材２０を連結するためのねじ９３が嵌る穴１０８がＺ軸方向の他方側Ｚ２に向けて開口している。
【００２３】
第２ケース部材２０は、第２底壁２１と、第２底壁２１の外縁からＺ軸方向の他方側Ｚ２に屈曲した第２側壁２２とを有している。第２底壁２１の平面形状は、全体として長方形である。第２ケース部材２０には、ねじ９１、９２、９３を通す穴２０６、２０７、２０８が形成されている。
【００２４】
（モータ４０およびカバー３０の構成）
第１ケース部材１０の第１底壁１１とカバー３０との間にモータ４０を配置するにあたって、カバー３０は、第１ケース部材１０の第１底壁１１に第２ケース部材２０の第２底壁２１とは反対側（Ｚ軸方向の一方側Ｚ１）から重なるフランジ部３１と、フランジ部３１からモータ４０の胴部４１に沿って第１底壁１１とは反対側（Ｚ軸方向の一方側Ｚ１）に突出した筒部３２とを有しており、モータ４０の胴部４１は、筒部３２の内側に配置されている。また、カバー３０は、筒部３２の第１底壁１１とは反対側（Ｚ軸方向の一方側Ｚ１）の端部を塞ぐ底板部３３を有しており、底板部３３は、胴部４１に第１底壁１１とは反対側（Ｚ軸方向の一方側Ｚ１）から重なっている。
【００２５】
モータ４０では、モータケース４２の切り欠きからコイルボビン４３の一部が突出しており、コイルボビン４３には、端子ピン４６、４７が貫通する穴３３１、３３２が形成されている。端子ピン４６、４７にはコイルの端部（図示せず）が電気的に接続される。
【００２６】
第１ケース部材１０には、略円形の受け部１５が形成されており、第１ケース部材１０にモータ４０およびカバー３０を重ねると、モータ４０の胴部４１およびカバー３０の筒部３２は受け部１５によって支持され、フランジ部３１は、端子ピン４６、４７を覆った状態で第１ケース部材１０に重なる。また、カバー３０には、ねじ９１、９２が止められる有底の円筒部３０６、３０７が形成されており、カバー３０と第１ケース部材１０とを連結すると、カバー３０と第１ケース部材１０との間でモータ４０および端子ピン４６、４７が配置されている空間は密閉される。
【００２７】
（伝達機構５０および回転部材６０の構成）
図４および図５において、伝達機構５０は、第１ケース部材１０の受け部１５においてカバー３０の側に向けて開口する凹部１５１に配置された従動歯車５６と、第１ケース部材１０の第１底壁１１と第２ケース部材２０の第２底壁２１との間に配置された複数の歯車とを備えている。本形態において、伝達機構５０は、第１底壁１１と第２底壁２１との間に歯車５１、５２、５３、５４からなる４つの歯車を有している。
【００２８】
従動歯車５６は、モータ４０の端板（図示せず）に保持された支軸５５に回転可能に支持された状態で、モータ４０のロータピニオン（図示せず）と噛み合っている。従動歯車５６は、大径歯車５６１と、大径歯車５６１よりも小径の小径歯車（図示せず）とを備えた複合歯車であり、小径歯車は、凹部１５１の底部に形成された穴１５２の内側に位置する。支軸５５には、従動歯車５６にＺ軸方向の一方側Ｚ１に重ねて配置されたスペーサ５９が支持されている。スペーサ５９には、モータ４０の端板と係合する突起５９１が形成されているため、回転不能である。従って、スペーサ５９は、従動歯車５６をＺ軸方向の一方側Ｚ１で回転可能に支持する。
【００２９】
歯車５１は、大径歯車５１１と、大径歯車５１１よりも小径の小径歯車５１２とを備えた複合歯車であり、大径歯車５１１は、従動歯車５６の小径歯車と噛み合っている。歯車５２は、大径歯車５２１と、大径歯車５２１よりも小径の小径歯車５２２とを備えた複合歯車であり、大径歯車５２１は、歯車５１の小径歯車５１２と噛み合っている。歯車５３は、大径歯車５３１と、大径歯車５３１よりも小径の小径歯車５３２とを備えた複合歯車であり、大径歯車５３１は、歯車５２の小径歯車５２２と噛み合っている。歯車５４は、大径歯車５４１と、大径歯車５４１よりも小径の小径歯車５４２とを備えた複合歯車であり、大径歯車５４１は、歯車５３の小径歯車５３２と噛み合っている。
【００３０】
歯車５１、５３は、第１底壁１１と第２底壁２１に両端が保持された支軸５７に回転可能に支持されている。従って、歯車５１、５３はＺ軸方向において重なっている。本形態において、歯車５１は、歯車５３より第１底壁１１の側に位置し、歯車５３は、歯車５１より第２底壁２１の側に位置する。歯車５２、５４は、第１底壁１１と第２底壁２１に両端が保持された支軸５８に回転可能に支持されている。従って、歯車５２、５４はＺ軸方向において重なっている。本形態において、歯車５２は、歯車５４より第１底壁１１の側に位置し、歯車５４は、歯車５２より第２底壁２１の側に位置する。
【００３１】
モータ４０の回転は、伝達機構５０を介して、接点駆動用の回転部材６０に伝達される。回転部材６０は、カム面６１１を備える回転カム６１と、ラチェット歯車６２とを備えており、ラチェット歯車６２の円環状の歯部６２１は歯車５４の小径歯車５４２と噛み合っている。回転カム６１とラチェット歯車６２とは、Ｚ軸方向に回転中心軸線を向けて同軸状に配置されており、ラチェット歯車６２は、回転カム６１の一方向への回転許容し、他方向への回転を規制する。本形態において、回転カム６１は、第２底壁２１側の位置する大径部６１６と、大径部６１６に対して第１底壁１１側に位置する中径部６１７と、中径部６１７に対して第１底壁１１側に位置する小径部６１８とを有しており、中径部６１７の外周面がカム面６１１になっている。回転カム６１は、ラチェット歯車６２を貫通して第２底壁２１側に突出した円筒部６１９を有しており、ラチェット歯車６２は円筒部６１９によって回転可能に支持されている。回転カム６１の小径部６１８および円筒部６１９は各々、第１底壁１１の穴１１９および第２底壁２１の穴２１９に回転可能に支持されている。
【００３２】
（接点構造）
第１ケース部材１０の側面からは４枚の接片７５、７６、７７、７８が突出しており、接片７５、７６、７７、７８のうちＹ軸方向の一方側Ｙ１に位置する３枚の接片７５、７６、７７は各々、第１導電部材７１、第２導電部材７２、および第３導電部材７３に電気的に接続されている。第１導電部材７１が接続された接片７５は、霜取り用のヒータに接続される。第３導電部材７３が接続された接片７７は庫内を冷却するためのコンプレッサに接続される。接片７６は、共通接片であり、第２導電部材７２およびモータ４０に接続される。接片７８は、コンデンサ７９を介してモータ４０に接続される。
【００３３】
第１導電部材７１、第２導電部材７２および第３導電部材７３は、Ｙ軸方向に板厚方向を向けて金属板であり、金属板自身が有する弾性を利用して、先端部分が回転カム６１の側に向かって付勢された状態にある。
【００３４】
モータ４０が駆動されて、モータ４０の回転が、伝達機構５０を介して回転部材６０に伝達されると、回転部材６０は、接点を移動させて、スイッチの開閉を行う。より具体的には、回転カム６１が一定の速さで一定の方向に回転すると、第１導電部材７１、第２導電部材７２および第３導電部材７３は、回転カム６１のカム面６１１に摺動して、第１導電部材７１の接点と第２導電部材７２の接点との接続状態、および第２導電部材７２の接点と第３導電部材７３の接点との接続状態が切り換えられる。それ故、接点式タイマースイッチ１は、回転カム６１が１回転する期間中に、接片７５に接続されたヒータと、接片７７に接続されたコンプレッサとが所定時間ずつ選択的に動作させる。
【００３５】
（第２底壁２１の構成）
図６は、図１に示す第１ケース部材１０の第１底壁１１を内面側からみた斜視図である。図７は、図６に示す第１ケース部材１０に歯車等を配置した様子を示す斜視図である。本実施形態においては、以下に説明するように、第１底壁１１および第２底壁２１のうちの第２底壁２１（一方の底壁）の第１底壁１１（他方の底壁）側に向いた内面２１ａには、複数の歯車のうち、第２底壁２１と対向する第１歯車５０ａに対して第１歯車５０ａの径方向外側で対向する円弧状の内周壁を備えた第１凹部が形成されている。また、第２底壁２１の第１底壁１１とは反対側に向いた外面２１ｂで第１凹部と重なる領域は、第１凹部の径方向外側で第１凹部に沿って円弧状に延在する側壁が第１底壁１１とは反対側に突出した第１凸部になっている。
【００３６】
より具体的には、歯車５１、５２、５３、５４のうち、第２底壁２１の側で第２底壁２１と対向する歯車５３の大径歯車５３１、歯車５３の小径歯車５３２、および歯車５４の大径歯車５４１が本発明における「第１歯車５０ａ」に相当し、第２底壁２１のうち、第１歯車５０ａが配置される領域に「第１凹部」および「第１凸部」が形成されている。
【００３７】
まず、図６および図７に示すように、第２底壁２１の内面２１ａには、歯車５３の大径歯車５３１に対して大径歯車５３１の径方向外側で対向する円弧状の内周壁２１１ａを備えた第１凹部２１１が形成されている。従って、大径歯車５３１は、第１凹部２１１の内側に位置する。これに対して、図５に示すように、第２底壁２１の外面２１ｂで第１凹部２１１と重なる領域は、第１凹部２１１の径方向外側で第１凹部２１１に沿って円弧状に延在する側壁２１２ａが第１底壁１１とは反対側に突出した第１凸部２１２になっている。
【００３８】
また、図６および図７に示すように、第２底壁２１の内面２１ａのうち、第１凹部２１１の底部には、歯車５３の小径歯車５３２に対して小径歯車５３２の径方向外側で対向する円弧状の内周壁２１３ａを備えた第１凹部２１３が形成されている。従って、小径歯車５３２は、第１凹部２１３の内側に位置する。これに対して、図５に示すように、第２底壁２１の外面２１ｂのうち、第１凸部２１２の端面で第１凹部２１３と重なる領域は、第１凹部２１３の径方向外側で第１凹部２１３に沿って円弧状に延在する側壁２１４ａが第１底壁１１とは反対側に突出した第１凸部２１４になっている。
【００３９】
また、図６および図７に示すように、第２底壁２１の内面２１ａには、歯車５４の大径歯車５４１に対して大径歯車５４１の径方向外側で対向する円弧状の内周壁２１５ａを備えた第１凹部２１５が形成されている。従って、大径歯車５４１は、第１凹部２１５の内側に位置する。これに対して、図５に示すように、第２底壁２１の外面２１ｂで第１凹部２１５と重なる領域は、第１凹部２１５の径方向外側で第１凹部２１５に沿って円弧状に
延在する側壁２１６ａが第１底壁１１とは反対側に突出した第１凸部２１６になっている。
【００４０】
本形態では、複数の第１歯車５０ａが隣り合っている。このため、第１凹部２１１と第１凹部２１５は、隣り合う位置に形成されており、繋がっている。また、第１凸部２１２と第１凸部２１６は、隣り合う位置に形成されており、繋がっている。
【００４１】
本形態において、第２底壁２１は、回転部材６０に対しても、上記の上げ底構造が構成されている。より具体的には、図６および図７に示すように、第２底壁２１の内面２１ａには、回転部材６０のうち、第２底壁２１の側が位置するラチェット歯車６２（第１部分６０ａ）に対してラチェット歯車６２の径方向外側で対向する円弧状の内周壁２１７ａを備えた第３凹部２１７が形成されている。従って、ラチェット歯車６２は、第３凹部２１７の内側に位置する。これに対して、図５に示すように、第２底壁２１の外面２１ｂで第３凹部２１７と重なる領域は、第３凹部２１７の径方向外側で第３凹部２１７に沿って円弧状に延在する側壁２１８ａが第１底壁１１とは反対側に突出した第３凸部２１８になっている。
【００４２】
このように、本形態において、第２ケース部材２０の第２底壁２１の内面２１ａには、歯車５３の大径歯車５３１（第１歯車５０ａ）、歯車５３の小径歯車５３２（第１歯車５０ａ）、歯車５４の大径歯車５４１（第１歯車５０ａ）、および回転部材６０の第２底壁２１の側に位置する第１部分６０ａ（ラチェット歯車６２）と重なる第１凹部２１１、２１３、２１５、および第３凹部２１７が形成されている。また、第２底壁２１の外面２１ｂは、第１凹部２１１、２１３、２１５、および第３凹部２１７と重なる部分が第１凸部２１２、２１４、２１６、および第３凸部２１８になっている。
【００４３】
（第１底壁１１の構成）
図８は、図１に示す第２ケース部材２０の第２底壁を内面側からみた斜視図である。図９は、図８に示す第２ケース部材２０に歯車等を配置した様子を示す斜視図である。本実施形態においては、以下に説明するように、第１底壁１１および第２底壁２１のうちの第１底壁１１（他方の底壁）の第２底壁２１（一方の底壁）側に向いた内面１１ａには、複数の歯車のうち、第１底壁１１と対向する第２歯車５０ｂに対して第２歯車５０ｂの径方向外側で対向する円弧状の内周壁を備えた第２凹部が形成されている。また、第１底壁１１の第２底壁２１とは反対側に向いた外面１１ｂで第２凹部と重なる領域は、第１凹部の径方向外側で第２凹部に沿って円弧状に延在する側壁が第２底壁２１とは反対側に突出した第２凸部になっている。
【００４４】
より具体的には、歯車５１、５２、５３、５４のうち、第１底壁１１の側で第１底壁１１と対向する歯車５２の大径歯車５２１が本発明における「第２歯車５０ｂ」に相当し、第１底壁１１のうち、第２歯車５０ｂが配置される領域に「第２凹部」および「第２凸部」が形成されている。
【００４５】
まず、図８および図９に示すように、第１底壁１１の内面１１ａには、歯車５２の大径歯車５２１に対して大径歯車５２１の径方向外側で対向する円弧状の内周壁１１１ａを備えた第２凹部１１１が形成されている。従って、大径歯車５２１は、第２凹部１１１の内側に位置する。これに対して、図４に示すように、第１底壁１１の外面１１ｂで第２凹部１１１と重なる領域は、第２凹部１１１の径方向外側で第２凹部１１１に沿って円弧状に延在する側壁１１２ａが第２底壁２１とは反対側に突出した第２凸部１１２になっている。
【００４６】
なお、第１底壁１１の内面１１ａには、歯車５１の大径歯車５１１に対して大径歯車５
１１の径方向外側で対向する円弧状の内周壁１１３ａを備えた凹部１１３が形成されている。従って、大径歯車５１１は、凹部１１３の内側に位置する。但し、第１底壁１１の外面１１ｂには、凹部１１３と重なる領域が凸部になっていない。
【００４７】
本形態において、第１底壁１１は、回転部材６０に対しても、上記の上げ底構造が構成されている。より具体的には、図８および図９に示すように、第１底壁１１の内面１１ａには、回転部材６０のうち、第１底壁１１の側に位置する回転カム６１の大径部６１６（第２部分６０ｂ）に対して大径部６１６の径方向外側で対向する円弧状の内周壁１１５ａを備えた第４凹部１１５が形成されている。従って、大径部６１６の一部は、第４凹部１１５の内側に位置する。これに対して、図４に示すように、第１底壁１１の外面１１ｂで第４凹部１１５と重なる領域は、第４凹部１１５の径方向外側で第４凹部１１５に沿って円弧状に延在する側壁１１６ａが第２底壁２１とは反対側に突出した第４凸部１１６になっている。
【００４８】
また、図８および図９に示すように、第４凹部１１５の底部には、回転カム６１の中径部６１７（第２部分６０ｃ）に対して中径部６１７の径方向外側で対向する円弧状の内周壁１１７ａを備えた第４凹部１１７が形成されている。従って、中径部６１７の一部は、第４凹部１１７の内側に位置する。これに対して、図４に示すように、第１底壁１１の外面１１ｂで第４凹部１１７と重なる領域は、第４凹部１１７の径方向外側で第４凹部１１７に沿って円弧状に延在する側壁１１８ａが第２底壁２１とは反対側に突出した第４凸部１１８になっている。
【００４９】
このように、本形態において、第１ケース部材１０の第１底壁１１の内面１１ａには、歯車５２の大径歯車５２１（第２歯車５０ｂ）、および回転部材６０の第１底壁１１の側に位置する第２部分６０ｂ、６０ｃ（大径部６１６、および中径部６１７）と重なる第２凹部１１１、および第４凹部１１５、１１７が形成されている。また、第１底壁１１の外面１１ｂは、第２凹部１１１、および第４凹部１１５、１１７と重なる部分が第２凸部１１２、および第４凸部１１６、１１８になっている。
【００５０】
（底上げ部の構成）
図６および図７に示すように、第２底壁２１の内面２１ａの端部には、伝達機構５０および導電部材（第１導電部材７１、第２導電部材７２、および第３導電部材７３）と重ならない領域に第１底壁１１に向けて突出した凸部２１０ｅが形成されている。これに対して、第２底壁２１の外面２１ｂの端部には、凸部２１０ｅと重なる部分が凹部２１０ｆになっている。なお、凸部２１０ｅには、従動歯車５６が配置される凹部１５１の底部と重なる領域が凹部２１０ｇになっている。
【００５１】
（本形態の主な効果）
以上説明したように、本形態のギヤードモータ１ａ、および接点式タイマースイッチ１は、第２ケース部材２０の第２底壁２１の内面２１ａに、伝達機構５０および回転部材６０のレイアウトに沿って、第１凹部２１１、２１３、２１５、および第３凹部２１７が形成され、第２底壁２１の外面２１ｂは、第１凹部２１１、２１３、２１５、および第３凹部２１７に沿うように突出した第１凸部２１２、２１４、２１６、および第３凸部２１８になっている。従って、第２ケース部材２０の第２底壁２１の強度を高めることができる。また、第２底壁２１が伝達機構５０および回転部材６０のレイアウトに沿う形状になっているため、第１ケース部材１０と第２ケース部材２０との間の内容積を小さくすることができる。従って、ギヤードモータ１ａを用いて接点式タイマースイッチ１を構成した際、第１ケース部材１０と第２ケース部材２０との間に接点を設けても、第１ケース部材１０と第２ケース部材２０との間の内容積が小さい。従って、ギヤードモータ１ａ、および接点式タイマースイッチ１を爆発性雰囲気中で用いた場合でも、防爆性を実現することが
できる。
【００５２】
また、本実施形態では、第１ケース部材１０の第１底壁１１の内面１１ａに伝達機構５０および回転部材６０のレイアウトに沿って、第２凹部１１１、および第４凹部１１５、１１７が形成され、第１底壁１１の外面１１ｂは、第２凹部１１１、および第４凹部１１５、１１７と重なる領域が第２凸部１１２、および第４凸部１１６、１１８になっている。従って、第１ケース部材１０の第１底壁１１の強度を高めることができる。また、第１底壁１１が伝達機構５０および回転部材６０のレイアウトに沿う形状になっているため、第１ケース部材１０と第２ケース部材２０との間の内容積を小さくすることができる。従って、ギヤードモータ１ａを用いて接点式タイマースイッチ１を構成した際、第１ケース部材１０と第２ケース部材２０との間に接点を設けても、第１ケース部材１０と第２ケース部材２０との間の内容積が小さい。従って、ギヤードモータ１ａ、および接点式タイマースイッチ１を爆発性雰囲気中で用いた場合でも、防爆性を実現することができる。
【００５３】
さらに、第１ケース部材１０の第１底壁１１とカバー３０との間にモータ４０を配置するにあたって、カバー３０は、第１底壁１１に第２底壁２１とは反対側（Ｚ軸方向の一方側Ｚ１）から重なるフランジ部３１と、フランジ部３１からモータ４０の胴部４１に沿って第１底壁１１とは反対側（Ｚ軸方向の一方側Ｚ１）に突出した筒部３２と、筒部３２の第１底壁１１とは反対側（Ｚ軸方向の一方側Ｚ１）の端部を塞ぐ底板部３３とを有している。このため、モータ４０が配置されている空間も含めて、ギヤードモータ１ａおよび接点式タイマースイッチ１の内部空間が狭い。従って、ギヤードモータ１ａ、および接点式タイマースイッチ１を爆発性雰囲気中で用いた場合でも、優れた防爆性を実現することができる。
【００５４】
［他の実施形態］
上記実施形態では、第１底壁１１および第２底壁２１のうち、本発明における「一方の底壁」が第２底壁２１に相当し、本発明における「他方の底壁」が第１底壁１１に相当したが、本発明における「一方の底壁」が第１底壁１１に相当し、本発明における「他方の底壁」が第２底壁２１であってもよい。
【００５５】
上記実施形態では、接点式タイマースイッチ１に用いるギヤードモータ１ａを中心に説明したが、他の用途に用いられるギヤードモータ１ａに本発明を適用してもよい。
【００５６】
上記実施形態では、モータ４０が第１底壁１１に対して第２底壁２１とは反対側に設けられていたが、モータ４０が第１底壁１１と第２底壁２１との間には設けられている場合に本発明を適用してもよい。
【符号の説明】
【００５７】
１…接点式タイマースイッチ、１ａ…ギヤードモータ、１０…第１ケース部材、１１…第１底壁、１１ａ、２１ａ…内面、１１ｂ、２１ｂ…外面、２０…第２ケース部材、２１…第２底壁、３０…カバー、３１…フランジ部、３２…筒部、３３…底板部、４０…モータ、４１…胴部、５０…伝達機構、５０ａ…第１歯車、５０ｂ…第２歯車、５１、５２、５３、５４…歯車、５６…従動歯車、６０…回転部材、６０ａ…第１部分、６０ｂ、６０ｃ…第２部分、６１…回転カム、６２…ラチェット歯車、７１…第１導電部材、７２…第２導電部材、７３…第３導電部材、１１１…第２凹部、１１１ａ、１１３ａ、１１５ａ、１１７ａ、２１１ａ、２１３ａ、２１５ａ、２１７ａ…内周壁、１１２…第２凸部、１１２ａ、１１６ａ、１１８ａ、２１２ａ、２１４ａ、２１６ａ、２１８ａ…側壁、１１５、１１７…第４凹部、１１６、１１８…第４凸部、２１１、２１３、２１５…第１凹部、２１２、２１４、２１６…第１凸部、２１７…第３凹部、２１８…第３凸部、５１１、５２１、５３１、５４１、５６１…大径歯車、５１２、５２２、５３２、５４２…小径歯車、
６１６…大径部、６１７…中径部、６１８…小径部、６２１…歯部
【図１】
2020188651.tif 000003
【図２】
2020188651.tif 000004
【図３】
2020188651.tif 000005
【図４】
2020188651.tif 000006
【図５】
2020188651.tif 000007
【図６】
2020188651.tif 000008
【図７】
2020188651.tif 000009
【図８】
2020188651.tif 000010
【図９】
2020188651.tif 000011